(57)【特許請求の範囲】
【請求項１】
半導体チップを搭載したキャリア基板が層間配線部を介して複数段に積層されてなる半導体装置であって、
前記積層されたキャリア基板のうち少なくとも内層側に位置するキャリア基板に設けられ、このキャリア基板に搭載される半導体チップから放出される熱をチップ外部へ伝達するための水平伝熱部と、
最上層および／または最下層の前記キャリア基板上に設けられる放熱部と、
前記水平伝熱部と前記放熱部との間を熱的に連絡するための垂直伝熱部とを備え、
前記垂直伝熱部が、前記キャリア基板の周囲に沿って配置される前記層間配線部の内方位置において複数形成されている
ことを特徴とする半導体装置。
【請求項２】
前記最上層のキャリア基板に設けられる放熱部が、前記最上層のキャリア基板に設けられた放熱板からなる
ことを特徴とする請求項１に記載の半導体装置。
【請求項３】
前記最下層のキャリア基板に設けられる放熱部が、マザー基板上の放熱用ランド部に接続される伝熱端子からなる
ことを特徴とする請求項１に記載の半導体装置。
【請求項４】
前記垂直伝熱部が、前記キャリア基板を厚さ方向に貫通し熱伝導性材料からなる伝熱貫通体と、前記伝熱貫通体に接続され前記積層されたキャリア基板の間に配置される金属製のボール端子とを含む
ことを特徴とする請求項１に記載の半導体装置。
【請求項５】
前記水平伝熱部が、板状またはシート状の金属材料からなる
ことを特徴とする請求項１に記載の半導体装置。
【請求項６】
前記水平伝熱部が、熱伝導性の接着材料層を含む
ことを特徴とする請求項１に記載の半導体装置。
【請求項７】
前記水平伝熱部には、前記垂直伝熱部との相対位置規制を行うための位置決め部が設けられる
ことを特徴とする請求項１に記載の半導体装置。
【請求項８】
前記半導体チップが、前記キャリア基板に形成された開口部の内部において非能動面を前記キャリア基板の一方の面に整列して収容配置され、
前記水平伝熱部が、前記一方の面の上に前記開口部を覆うように設けられる
ことを特徴とする請求項１に記載の半導体装置。
【発明の詳細な説明】
【０００１】
【発明の属する技術分野】
本発明は、半導体チップを三次元的に積み重ねてなる積層型の半導体装置に関し、更に詳しくは、内層部に位置する半導体チップの放熱性を高めて適正な動作特性を確保するようにした半導体装置に関する。
【０００２】
【従来の技術】
携帯電話やＰＤＡ等のモバイル用通信機器、ノート型パソコン等の電子機器の小型化、高機能化に伴い、これらを構成する電子部品の高密度実装対応が不可欠となっている。電子部品の高密度実装化は、従来より、電子部品の小型化による部品端子のファインピッチ化や実装基板の配線パターンの微細化によって対応してきたが、近年においては、半導体ベアチップや半導体パッケージ部品を三次元的に積み重ねて実装効率を向上させた三次元モジュール構造が種々提案されている。図１０にその構成の一例を示す。
【０００３】
図１０に示す半導体装置１０１は、キャリア基板１０３に半導体チップ１０２が搭載されてなる半導体パッケージ１０４を複数段積み重ねて構成される。各半導体チップ１０２はキャリア基板１０３の中央部に形成された開口１０３ａ内に位置しており、ボンディングワイヤ１０５を介してキャリア基板１０３上の回路パターンと電気的に接続されるとともに、封止樹脂１０７によりモールドされている。積層間の電気的接続は、キャリア基板１０３の周縁部に設けられたはんだボール１０６と、キャリア基板１０３を貫通するスルーホール１０８とを介して行われる。
【０００４】
図１１Ａ〜Ｇは、上記構成の半導体装置１０１の製造プロセスを示している。先ず、回路パターンやスルーホールとともに開口部１０３ａが予め形成されたキャリア基板１０３を接着テープ１０９の上に貼り付け、開口部１０３ａ内に半導体チップ１０２をボンディングパッドが形成される表面（能動面）側を上向きにして配置した後、ワイヤボンディングを施す（図１１Ａ〜Ｃ）。そして、開口部１０３ａ内の半導体チップ１０２をボンディングワイヤ１０５とともに封止樹脂１０７でモールドした後、接着テープ１０９をキャリア基板１０３から剥離し、キャリア基板１０３のスルーホール上もしくはボール搭載用ランド上にはんだボール１０６を搭載する（図１１Ｄ〜Ｆ）。こうして得られた半導体パッケージ１０４を多段に積み重ねることによって、図９に示した半導体装置１０１が作製される（図１１Ｇ）。
【０００５】
このような積層型（スタック型）の半導体装置の他の構成例としては、例えば特開平９−２１９４９０号公報、特開平１０−１３５２６７号公報、特開平１０−１６３４１４号公報等に記載されている。
【０００６】
特開平９−２１９４９０号公報に記載の半導体装置２０１は、図１２に示すように、ＴＳＯＰ(Thin Small Outline Package)型の半導体パッケージ２０４を複数段積層して構成されるもので、半導体チップ２０２をリードフレーム２０３とともに封止するパッケージ樹脂２０７の内部に、各段のリードフレーム２０３の電気的接続を図るための導電性垂直接続手段２０５を内蔵している。
【０００７】
また、図１３に示すように特開平１０−１３５２６７号公報に記載の半導体装置３０１は、ＢＧＡ(Ball Grid Array) 型の半導体パッケージ３０４を複数段積層して構成されている。半導体チップ３０２は、キャリア基板３０３上にフリップチップ実装されたのち封止樹脂３０７でモールドされている。各半導体パッケージ３０４の間は、上段側のキャリア基板３０３下面に搭載されたはんだボール３０６と、下段側のキャリア基板３０３上面に設けられた接続パターン３０５との接合によって電気的、機械的接続がなされている。
【０００８】
更に、図１４に示す特開平１０−１６３４１４号公報に記載の半導体装置４０１は、ＴＣＰ(Tape Carrier Package)型の半導体パッケージ４０４を複数段積層して構成されている。これは、半導体チップ４０２がＴＡＢ接続されたテープキャリア４０３をスペーサ４０７を介して多段に積み重ねて構成され、スペーサ４０７のスルーホール４０８とこれに接続される配線層４０６ａ，４０６ｂを介して各段を電気的に接続している。
【０００９】
以上の各積層型半導体装置は、ＴＳＯＰ，ＢＧＡあるいはＴＣＰ等の半導体パッケージを組み立てて完成させた後、各半導体パッケージを個別に積み重ねることによって積層パッケージを実現している。このような積層型の半導体装置は、例えばＤＲＡＭに代表される半導体メモリの三次元モジュールに適用されることによって、メモリの大容量化を図ることができる。
【００１０】
【発明が解決しようとする課題】
ところで、近年における電子機器の高機能化、高速信号処理対応のために半導体素子の高性能化も進展しているが、これにより半導体素子の発熱量の上昇は著しいものとなっている。その一方で、機器の薄型化、小型化が進んでいるため、機器内部の空気温度上昇や局所的な部品の温度上昇が問題になっている。一般に部品温度が許容値を超過すると誤作動等の動作不良や素子破壊を引き起こし、製品としての機能上および信頼性に大きな影響を与える。このため近年では、構成部品の放熱対策が高密度実装技術において重要視されるに至っている。
【００１１】
上述したような構成の積層型半導体装置にあっては、特に内層のパッケージからの放熱性が十分に確保されないために、消費電力が大きく発熱量が大きい半導体チップがパッケージングされている場合には、当該半導体チップが高温化して特性に支障をきたすおそれが高い。特に、図１２および図１３に示した従来の半導体装置２０１，３０１の構成では、モールドされた半導体チップ２０２，３０２の効率の良い放熱性を確保することは構造的に困難である。
【００１２】
また、機能の異なる複数の半導体チップを積層する場合には、積層する半導体チップのなかで発熱量の大きなものを比較的放熱効率の高い最上層に配置したり、最下層に配置してマザー基板側へ放熱する構造を採る方法もあるが、設計上大きな制約となる上に、発熱量の大きな半導体チップが３つ以上ある場合には、内層の半導体パッケージへの適用が余儀なくされ、上述のような発熱による問題が顕在化する。
【００１３】
一方、特開平８−２３６６９４号公報には、図１５に示すように、多段に積み重ねた半導体チップ５０２の裏面（非能動面）に放熱板５０９をそれぞれ貼り付けることにより、各半導体チップ５０２の放熱効率を高めた積層型の半導体装置５０１が開示されている。なお、図中符号５０３は半導体チップ５０２が搭載されるキャリア基板、５０６は各層間を電気的に接続する端子、５１０は半導体装置５０１が実装されるマザー基板である。
【００１４】
しかしながら、この構成では、各層の半導体チップ５０２の放熱性を高めるために放熱板５０９をキャリア基板５０３の外方へ突出させる必要が生じ、これが原因で半導体装置５０１の外形が非常に大きくなり、マザー基板に対する高い実装密度が得られなくなるという問題がある。
【００１５】
本発明は上述の問題に鑑みてなされ、部品の大型化を抑制しながら内層部の半導体チップの放熱効果を高めて適正な動作特性を確保し、信頼性の向上を図ることができる積層型の半導体装置を提供することを課題とする。
【００１６】
【課題を解決するための手段】
以上の課題を解決するに当たり、本発明の半導体装置は、積層されたキャリア基板のうち少なくとも内層側に位置するキャリア基板に設けられ、このキャリア基板に搭載される半導体チップから放出される熱をチップ外部へ伝達するための水平伝熱部と、最上層および／または最下層のキャリア基板上に設けられる放熱部と、これら水平伝熱部と放熱部との間を熱的に連絡するための垂直伝熱部とを備え、この垂直伝熱部が、キャリア基板の周囲に沿って配置される層間配線部の内方位置において複数形成されていることを特徴とする。
【００１７】
本発明では、半導体チップから発生した熱を水平伝熱部および垂直伝熱部を介して最上層および／または最下層の放熱部へ伝達して放熱する構造を採ることによって、積層型の半導体装置における内層部位の半導体チップの放熱性を高め、当該半導体チップの適正な動作特性を確保して、半導体装置全体の信頼性を向上させるようにしている。また、本発明では、上記放熱部が最上層のキャリア基板または最下層のキャリア基板上に設けられているため、部品の大型化を抑制することができる。さらに、垂直伝熱部が層間配線部よりも内方側に配置されているので、半導体チップの熱を水平方向へ伝達する水平伝熱部をキャリア基板よりも小さな面積で形成することができ、これにより半導体装置全体の大型化が抑制され、マザー基板に対する高密度な部品実装環境を提供することができる。
【００１８】
【発明の実施の形態】
以下、本発明の各実施の形態について図面を参照して説明する。
【００１９】
図１および図２Ａ，Ｂは、本発明の第１の実施の形態による半導体装置１を示している。ここで、図１は半導体装置１の側断面図、図２Ａは半導体装置１の平面図、図２Ｂは半導体装置１の裏面図である。
【００２０】
本実施の形態の半導体装置１は、インターポーザとしてのキャリア基板３に対して半導体チップ２が搭載された半導体パッケージ４Ａ〜４Ｄが４段、垂直方向に積層されることによって構成される。これら半導体パッケージ４Ａ〜４Ｄの間には、層間配線用の導電端子６および層間伝熱用の伝熱端子１９の２種の金属端子（本実施の形態では何れもはんだボール）がそれぞれ複数設けられている。以下、各部の詳細について説明する。
【００２１】
キャリア基板３に搭載される半導体チップ２としては、例えばＤＲＡＭ等の半導体メモリやこれにロジック回路が混載されたシステムＬＳＩ、あるいはＭＰＵ、各種ハードウェアシステムを駆動するドライバ回路、電源回路、高周波信号処理回路等がそれぞれ組み込まれた公知のベアチップ部品が適用される。
【００２２】
したがって、半導体装置１は、例えば半導体メモリを複数積層してメモリ容量の拡大を図るというように、同種の半導体チップで構成されることによって特定の機能を行う三次元モジュールとして構成されたり、あるいは、異種の半導体チップで構成されることによってシステム的な機能を行う三次元モジュールとして構成され得る。
【００２３】
半導体チップ２は、キャリア基板３の略中央部に穿設された正方形状の開口部８内に収容配置されている。半導体チップ２の表面（能動面）２ａには複数のボンディングパッド（図示略）が所定ピッチで形成されており、キャリア基板４上の回路形成面３ａに対し、金線等のボンディングワイヤ５を介して電気的に接続されている。他方、半導体チップ２の裏面（非能動面）２ｂはキャリア基板３の非回路形成面（本発明の請求項に記載の「一方の面」に相当。）３ｂと同一平面内に属しており、当該裏面２ｂを除く周囲がボンディングワイヤ５とともに、例えばエポキシ等の熱硬化性の封止樹脂７でモールドされることによって、半導体チップ２がキャリア基板３に保持されている。
【００２４】
キャリア基板３は、本実施の形態ではガラス繊維にエポキシ樹脂を含浸させたガラスエポキシ樹脂のシート状絶縁体から構成される。なお、これに限らず、例えばガラス繊維にポリイミド樹脂を含浸させたり、紙にフェノール樹脂を含浸させた絶縁基材あるいはポリイミド樹脂基材等を用いることができる。また、上記のような有機系の基材に限らず、セラミック系の基材や金属リードフレーム等を用いてもよい。
【００２５】
キャリア基板３の回路形成面３ａには、図３Ａに示すように、ボンディングワイヤ５の一端が接合されるボンディング用のランド部１１が開口部８の周縁に沿って複数形成されている。これらの各ランド部１１は、配線部１２を介して各々対応する接続ランド部１３Ａに連絡している。接続ランド部１３Ａにはキャリア基板３を貫通するスルーホール１３ａが形成されており、回路形成面３ａとは反対側の非回路形成面３ｂに形成された接続ランド部１３Ｂ（図３Ｂ）に連絡している。スルーホール１３ａは接続ランド部１３Ａおよび接続ランド部１３Ｂの間を電気的に接続するためのもので、その内壁面にはスルーホールめっきが施されている。
【００２６】
なお、スルーホール１３ａの内壁面に形成されるスルーホールめっきとしては、例えば銅めっき等の一般的なスルーホールめっきが適用される。なおまた、このスルーホールめっきに代えてあるいは加えて、スルーホール１３ａ内にはんだや導電ペースト等の導電材料を充填することも可能である。
【００２７】
接続ランド部１３Ａ，１３Ｂは、キャリア基板３の周縁に沿って単列に形成されている。各半導体パッケージ４Ａ〜４Ｄは、図１に示したように接続ランド部１３Ａ，１３Ｂに接合される導電端子（はんだボール）６によって一体化されるとともに、半導体パッケージ４Ａ〜４Ｄの各層において電気的に接続されている。これらはんだボール６、接続ランド部１３Ａ，１３Ｂおよびスルーホール１３ａにより、本発明に係る「層間配線部」が構成される。
【００２８】
なお、最下層のキャリア基板３に接合される導電端子６Ａは、マザー基板１５上の導体ランド１６に接合される外部電極として機能する。また、最上層のキャリア基板３には、導電端子６が接合される接続ランド部１３Ａが形成されるのみで、図１に示すようにスルーホール１３ａおよび接続ランド部１３Ｂは形成されていなくてもよい。
【００２９】
次に、本発明に係る半導体装置１の放熱構造について説明する。
【００３０】
キャリア基板３の非回路形成面３ｂおよび半導体チップ２の裏面２ｂには、図１に示すようにアルミニウムや銅等の金属材料からなる放熱板１０が熱伝導性の接着剤からなる接着材料層２０を介して貼着されている。放熱板１０は、キャリア基板３と同様に略正方形状を呈し、キャリア基板３の開口部８より大きく、かつ、層間配線部を構成する接続ランド部１３Ｂよりも内方側にその端縁１０ａが位置する大きさとされる（図２Ａ，図３Ｂ）。
【００３１】
放熱板１０の周縁部内面は、接続ランド部１３Ｂの内方側において当該接続ランド部１３Ｂと同一ピッチで単列に形成される放熱用ランド部１４Ｂと接触している。放熱用ランド部１４Ｂの面内にはキャリア基板３を貫通するスルーホール１４ａが形成され、回路形成面３ａ上の銅箔からなる放熱用ランド部１４Ａに連絡している。放熱用ランド部１４Ａ，１４Ｂは、上述した電気配線用の回路パターン１１，１２，１３Ａ，１３Ｂとは、非接触とされる。
【００３２】
スルーホール１４ａは、層間配線部を構成するスルーホール１３ａと略同一の径で形成され、その内壁面にはスルーホールめっきとして例えば銅めっきが施されている。これらスルーホール１４ａの内壁面に形成される銅めっき（スルーホールめっき）により、放熱ランド部１４Ａと１４Ｂとの間を熱的に連絡する「伝熱貫通体」が構成され、以下の説明ではスルーホール１４ａを上記伝熱貫通体という意味で説明する。
【００３３】
放熱板１０の周縁部には、図１および図３Ｂに示すように放熱用ランド部１４Ｂ内のスルーホール１４ａよりも大径の位置決め孔１８が、各スルーホール１４ａに対応して複数形成されている。位置決め孔１８は、スルーホール１４ａを開放するようにスルーホール１４ａと同心的に形成されている。
【００３４】
キャリア基板３の放熱用ランド部１４Ａには伝熱端子１９が接続されており、この伝熱端子１９を介して、下段側のキャリア基板３の放熱用ランド部１４Ｂに接合されている。伝熱端子１９は、本実施の形態では導電端子６と同一構成のはんだボールからなり、放熱用ランド１４Ｂおよび放熱板１０の位置決め孔１８に接続されている。
【００３５】
なお、上記スルーホールめっきに代えてあるいは加えてスルーホール１４ａ内にはんだや熱伝導性ペースト等の他の熱伝導体を充填することも可能であり、この場合必ずしも放熱用ランド部１４Ａ，１４Ｂは必要とされず、これら充填体に直接、伝熱端子１９を接合するようにしてもよい。
【００３６】
以上、各キャリア基板３に貼着される放熱板１０により本発明に係る「水平伝熱部」が構成されるとともに、放熱ランド１４Ａ，１４Ｂ、スルーホール１４ａおよび伝熱端子１９により本発明に係る「垂直伝熱部」が構成される。本実施の形態では、これら水平および垂直伝熱部を金属材料を主体として構成しているので、高い伝熱効率を確保することができる。
【００３７】
また、最上層のキャリア基板３に貼着される放熱板１０Ｄは当該半導体装置１で発生する熱を外部へ放出するための放熱部として構成され、これには図１に示すようにスルーホール１４ａを開放する位置決め孔１８は形成されていなくてもよい。一方、最下層のキャリア基板３の放熱用ランド部１４Ａに接続される伝熱端子１９Ａは、図示しないヒートシンク等の放熱源に連絡するマザー基板１５上の放熱用ランド部１７に接続され、ここから半導体装置１で発生する熱を外部（マザー基板１５）へ伝達させるための放熱部として構成される。
【００３８】
以上のように構成される本実施の形態の半導体装置１は、多段に積み重ねられた半導体パッケージ４Ａ〜４Ｄのそれぞれの半導体チップ２から発する熱が熱伝導性の接着材料層２０を介して放熱板１０へ伝達し、ここから放熱用ランド部１４Ｂ、伝熱端子１９またはスルーホール１４ａ、および放熱用ランド部１４Ａを介して最上層の放熱板１０Ｄあるいは最下層の伝熱端子１９Ａに伝達する。このように半導体チップ２の放熱経路がキャリア基板３の面内だけでなく、キャリア基板３の積層方向へも形成されているために、半導体装置１の放熱効率が高められ、許容値を超える発熱による半導体チップ２の特性不良や誤動作を防止することができる。
【００３９】
特に、内層に位置する半導体パッケージ４Ｂ，４Ｃから発生する熱が、最上層の半導体パッケージ４Ｄの放熱板１０Ｄや、最下層の半導体パッケージ４Ａの伝熱端子１９Ａを介して外部へ放熱され得るようにしているので、発熱量の大きな半導体チップ２を搭載した半導体パッケージを内層部に有する積層型半導体装置の信頼性を高めることができる。
【００４０】
また、本実施の形態の半導体装置１によれば、垂直伝熱部が層間配線部よりも内方側に配置されているので、半導体チップ２の熱を水平方向へ伝達する放熱板１０をキャリア基板３よりも小さな面積で形成することができ、これにより半導体装置１全体の大型化が抑制され、マザー基板１５に対する高密度な部品実装環境を提供することができる。
【００４１】
更に、半導体チップ２が、キャリア基板３の開口部８の内部において非能動面２ｂをキャリア基板３の非回路形成面３ｂに整列して収容配置されるとともに、放熱板１０が、キャリア基板３の非回路形成面３ｂ上に開口部８を覆うように設けられているために、各半導体パッケージ４Ａ〜４Ｄの薄型化を促進して、これらを積層した半導体装置１の積層厚を低くすることができる。
【００４２】
更にまた、各層において異種の半導体チップを搭載してシステム的な機能を行わせるようにしたモジュールにおいては、層間に位置する放熱板１０がノイズ吸収体としての機能を果たし、半導体チップ間の電磁相互干渉が防止されて適正な動作特性が確保される。
【００４３】
次に、以上のように構成される本実施の形態の半導体装置１の製造プロセスについて図４を参照して説明する。半導体装置１は、先ず、この三次元モジュールを構成する半導体パッケージ４（４Ａ〜４Ｄ）を作製し、作製した半導体パッケージ４を垂直方向へ個々に積み重ねる作業を経て作製される。
【００４４】
先ず、キャリア基板３の構成基材となる絶縁シート（本実施の形態ではガラスエポキシ樹脂）３Ａに対して、半導体チップ２を収容するための開口部８と、層間配線用および層間伝熱用のスルーホール１３ａ，１４ａ（ここでは図示略）とを形成してキャリア基板３を作製する（図４Ａ）。本実施の形態では、キャリア基板３を絶縁シート３Ａ上に複数個分連続して作製しておき、後に個片化するようにしている。
【００４５】
なお、絶縁シート３Ａ上には、図３Ａおよび図３Ｂを参照して説明したボンディング用のランド部１１、配線部１２、接続ランド部１３Ａ，１３Ｂおよび放熱用ランド部１４Ａ，１４Ｂがパターニング形成されているものとする。ここで、接続ランド部１３Ａ，１３Ｂおよび放熱用ランド部１４Ａ，１４Ｂは、図１に示したようにスルーホール１３ａ，１４ａの直上位置に設ける以外に、例えば図５に示すようにスルーホール１３ａ，１４ａの軸心に対してオフセットした位置に設けるようにしてもよい。
【００４６】
続いて、絶縁シート３Ａをその回路形成面３ａを上向きにしてポリイミド等の接着テープ９の上に貼着する（図４Ｂ）。そして、絶縁シート３Ａの開口部３ａ内に半導体チップ２をその表面（能動面）２ａを上向きにして配置し、露出した接着テープ９の接着面に半導体チップ２の裏面２ｂを貼り付ける（図４Ｃ）。なお、半導体チップ２は、その裏面２ｂを研削、エッチング等することによって薄型化されていてもよい。
【００４７】
次に、絶縁シート３Ａの回路形成面３ａ上のボンディング用ランド部１１と、半導体チップ２の表面２ａ上のボンディングパッドとをボンディングワイヤ５で接続する（図４Ｄ）。その後、開口部８内にエポキシ樹脂等の熱硬化性の封止樹脂７を供給し、半導体チップ２の裏面を除く周囲とワイヤ５、更にキャリア基板３上のボンディング用ランド部１１を樹脂封止する（図４Ｅ）。この樹脂封止工程は、トランスファーモールド法や印刷法、あるいはポッティング法等が適用できる。
【００４８】
封止樹脂７の硬化後、半導体チップ２が接着、保持されたキャリア基板３から接着テープ９を剥がす（図４Ｆ）。その後、絶縁シート３Ａがカット金型やレーザー切断装置あるいはダイシング装置等によって一素子単位に個片化されてキャリア基板３とされる。これにより、半導体チップ２の裏面２ｂが露出した薄型の半導体パッケージ４が得られる。そして、得られた半導体パッケージ４を電気的な動作チェックにかけ、必要があればバーンイン等のスクリーニングを施して、良否選別をする。
【００４９】
次に、露出した半導体チップ２の裏面２ｂを含むキャリア基板３の非回路形成面３ｂに対して、図３Ｂを参照して説明した放熱板１０を貼り付ける（図４Ｇ）。キャリア基板３と放熱板１０との接着は、例えば金属粒子を含有したシリコーン樹脂等の熱伝導性接着剤を介して行われる。この際、放熱板１０の周囲に形成された位置決め孔１８がキャリア基板３上の放熱用ランド部１４Ｂに対して各々の軸心が同一となるように位置合わせされる（図３Ｂ）。
【００５０】
次に、キャリア基板３の回路形成面３ａ上の接続ランド部１３Ａおよび放熱用ランド部１４Ａに対し、それぞれ導電端子および伝熱端子としてのはんだボール６，１９を搭載する（図４Ｈ）。これらはんだボール６，１９は、例えば接合面にフラックスが塗布されたはんだボール６，１９を各ランド部１３Ａ，１４Ａへ転写した後にリフローすることによって形成される（図１）。
【００５１】
以上のような工程によって半導体パッケージ４が作製される。そして、図４Ｉに示すように、作製された半導体パッケージ４を個々に複数積み重ね、リフロー加熱等により図１に示したように導電端子としてのはんだボール６を相手側キャリア基板３の接続ランド部１３Ｂへ接続するとともに、伝熱端子としてのはんだボール１９を相手側キャリア基板３の放熱用ランド部１４Ｂへ接続することによって、層間配線構造と層間放熱構造を併せ持った本発明に係る積層型の半導体装置を得ることができる。
【００５２】
この際、放熱板１０に形成された位置決め孔１８がはんだボール１９の位置決め部として機能するので、はんだボール１９の放熱用ランド部１４Ｂに対する適正な接続が確保される。また、放熱板１０の厚さに相当するパッケージ間の寸法差をなくして、両はんだボール６，１９の径の同一化を図ることができ、これにより構成部品の共通化が図られる。
【００５３】
本実施の形態によれば、図１１を参照して説明した従来の半導体装置１０１の製造プロセスにおいて、垂直伝熱用のスルーホール１４ａ、ランド部１４Ａ，１４Ｂ、伝熱端子１９および放熱板１０を設けるプロセスを追加するだけでよいので、既存の設備および製造技術を用いて容易に本発明の半導体装置１を製造することができる。また、伝熱端子１９は導電端子６と同じはんだボールを用いているので、これらの端子形成工程を一括して行うことができるとともに、部品管理コストの増大を抑制することができる。
【００５４】
（第２の実施の形態）
続いて、図６Ａ，Ｂは本発明の第２の実施の形態を示している。なお、図において上述の第１の実施の形態と対応する部分については同一の符号を付し、その詳細な説明は省略するものとする。
【００５５】
本実施の形態の半導体装置２１は、本発明に係る垂直伝熱部の一部の構成が、上述の第１の実施の形態と異なっている。すなわち、第１の実施の形態では伝熱端子（はんだボール）１９を垂直伝熱部の一部として構成したが、本実施の形態の半導体装置２１では、伝熱端子１９の代わりに、アルミニウム系金属材料や銅系金属材料等の熱伝導体からなる枠部材２２が用いられている。
【００５６】
枠部材２２は、図６Ａに示すように各キャリア基板３のスルーホール１４ａどうしを熱的に接続するように各キャリア基板３間に配置される。枠部材２２は低背の角筒形状を呈し、その内周面２３は、半導体チップ２をモールドする封止樹脂７の外方側に位置し、外周面２４は、層間配線用のスルーホール１３ａよりも内方側に位置している。すなわち、垂直伝熱用の各スルーホール１４ａは、単一の枠部材２２に共通に接続されている。
【００５７】
枠部材２２とキャリア基板３および放熱板１０との間の接続は、例えば熱伝導性の接着剤を介して行われる。なお、放熱板１０の周縁部の枠部材２２と接続される部位には、図６Ａに示すように枠部材２２の位置決め部として凹所２５が設けられている。
【００５８】
以上のように構成される本実施の形態の半導体装置２１によっても、上述の第１の実施の形態と同様な効果を得ることができる。特に本実施の形態によれば、単一の枠部材２２で層間伝熱機能を行わせるようにしているので、放熱経路の多元化を図ることができ、これにより放熱経路の設計自由度が高められる。
【００５９】
（第３の実施の形態）
図７は、本発明の第３の実施の形態を示している。本実施の形態における半導体装置３１は、キャリア基板３３上に半導体チップ３２を搭載してなる半導体パッケージ３４（３４Ａ〜３４Ｄ）を４段積層して構成されている。
【００６０】
キャリア基板３３は、ガラスエポキシ樹脂等の絶縁性の２枚のシート材３３Ａおよび３３Ｂから構成される。一方のシート材３３Ａには半導体チップ３２を収容するための開口部３８が形成され、他方のシート材３３Ｂの一表面には所定形状にパターニングされた回路パターン（図示略）が形成されており、このシート材３３Ｂの回路形成面をシート材３３Ａ側に対向させて互いに積層されている。
【００６１】
半導体チップ３２は、上述の第１の実施の形態において説明した半導体チップ２と同種のベアチップ部品が適用され、開口部３８によって露出されるシート材３３Ｂの回路形成面に形成されたランド（図示略）に対し、その能動面に設けられたバンプ３５を介してフリップチップ実装されている。このとき、半導体チップ３２の非能動面がキャリア基板３３の上面と同一平面内に位置するように、シート材３３Ｂに対する半導体チップ３２の実装高さとシート材３３Ａの厚さとが同一化されている。半導体チップ３２の能動面とキャリア基板３３との間には、アンダーフィル樹脂３７が充填されている。
【００６２】
水平伝熱用の金属製放熱板４０は、半導体チップ３２の非能動面を含むキャリア基板３３の上面に、熱伝導性の接着剤を用いて貼着されている。放熱板４０は、導電端子３６およびスルーホール４３で構成される層間配線部に隣接して形成される垂直伝熱用の伝熱端子４９および伝熱貫通体４４に接続されている。これにより、半導体装置３１の各層に位置する半導体チップ３２から発生した熱が、放熱板４０、伝熱端子４９および伝熱貫通体４４を介して最上層の放熱板４０Ｄに伝達し、ここから外部へと放熱される。
【００６３】
本実施の形態によっても上述の第１の実施の形態と同様な効果を得ることができ、部品の大型化を抑制しながら内層部の半導体チップの放熱効果を高めて適正な動作特性を確保し、信頼性の向上を図ることができる。なお、モジュール厚低減の観点から、導電端子３６と伝熱端子４９を設けることなく、各半導体パッケージ３４Ａ〜３４Ｄを直接積層する構成例も、本発明は適用可能である。
【００６４】
以上、本発明の各実施の形態について説明したが、勿論、本発明はこれらに限定されることなく、本発明の技術的思想に基づいて種々の変形が可能である。
【００６５】
例えば以上の各実施の形態では、水平伝熱部１０，４０として銅やアルミニウム等の金属板で構成したが、放熱シートや金属箔等で構成することもできる。これにより半導体装置全体の更なる薄型化を図ることができる。また、例えば窒化アルミ等の熱伝導性の高いセラミック材料や、熱伝導性接着剤のみで水平伝熱部を構成することもできる。
【００６６】
水平伝熱部は、各層の半導体チップ２，３２全てに設けられる必要はない。例えば図８に示すように、内層部に位置しかつ比較的発熱量の高い半導体チップ２を搭載した半導体パッケージ４Ｂにのみ水平伝熱用の放熱板１０を設け、垂直伝熱部１９を介して最上層の外部放熱用の放熱板１０Ａに接続させる構成でもよい。なお、放熱板１０Ｄに代わるヒートシンクを別途、最上層に配置することも可能である。また、最上層に放熱板１０Ｄを設ける代わりに、最下層にマザー基板に接続される伝熱端子のみを設けて放熱するようにしてもよい。
【００６７】
また、以上の第２の実施の形態（図６）では、垂直伝熱部１４ａ，１９の形成数を各層において同一としたが、枠部材２２によって放熱経路の一部共通化を図ることができるので、各層においてスルーホール１４ａの数を異ならせることも可能である。
【００６８】
層間配線部を構成する導電端子６，３６および垂直伝熱部を構成する伝熱端子１９，４９は上述したはんだボールに限らず、例えばめっきバンプ等も適用可能である。また、はんだペーストや導電ペースト、異方性導電材料（ＡＣＦ／ＡＣＰ）等の導電層を用いて層間の接続を図るようにしてもよい。つまり、ＢＧＡ形態の半導体パッケージ以外に、ＬＧＡ(Land Grid Array) 形態の半導体パッケージにも、本発明は適用可能である。
【００６９】
なお、垂直伝熱部を金属等の熱伝導性の軸部材で構成し、これを各層の水平伝熱部に嵌挿させることによって、層間の放熱経路を形成することも可能である。一方、垂直伝熱経路は必ずしも直線的に形成される必要はない。各層において配線パターンの疎密分布が異なる場合があるからである。この場合、各層の配線パターンの疎な領域を通るように伝熱端子の配置位置を各層ごとに異ならせて垂直伝熱部をジグザグ状に形成しても、上述の各実施の形態と同様な効果を得ることができる。
【００７０】
また、以上の各実施の形態では、単一のキャリア基板３，３３に対して単一の半導体チップ２，３２を搭載した半導体パッケージ４，３４を複数段積層した三次元モジュールに本発明を適用した例を説明したが、単一のキャリア基板に対して複数の半導体チップを搭載したマルチチップ型の半導体パッケージからなる三次元モジュールに対しても、本発明は適用可能である。この場合、各半導体チップの非能動面にそれぞれ接触するように水平伝熱用の放熱板を設ければよい。
【００７１】
なお、以上の各実施の形態において、キャリア基板の「回路形成面」および「非回路形成面」は便宜的に用いた用語であって、「非回路形成面」には、上述の各実施の形態のように配線パターンが形成されない面という意味だけでなく、配線パターン上にソルダレジスト等の絶縁膜が形成されている面も含む。つまり、キャリア基板としては、両面基板や多層基板も適用することができる。
【００７２】
更に、以上の各実施の形態では、キャリア基板３，３３に設けた開口部８，３８に半導体チップ２，３２を収容する形態の半導体パッケージ４，３４の三次元モジュールを例に挙げて説明したが、それ以外の形態の半導体パッケージの三次元モジュールに対しても本発明は適用可能である。その一例を図９に示す。
【００７３】
図９に示す半導体装置５１は、ポリイミドフィルム上に回路パターンが形成されたフィルムキャリア５３上に半導体チップ５２がＴＡＢ接続されてなるＴＣＰ型の半導体パッケージ５４（５４Ａ〜５４Ｄ）を複数段積層して構成されている。各半導体パッケージ５４の間にはスペーサ６１が一体的に介装されており、各半導体パッケージ５４は、このスペーサ６１に形成された層間配線用のスルーホール５６を介して電気的に接続されている。スルーホール５６の下端には、外部電極５８が設けられている。水平伝熱用の放熱板６０は、半導体チップ５２の非能動面に貼着される。スペーサ６１には各層の放熱板６０を接続する垂直伝熱用のスルーホール５７が形成されており、その下端にはマザー基板（図示略）上の放熱用ランド部に接続される伝熱端子５９が設けられている。この構成によっても、上述の第１の実施の形態と同様な効果を得ることができる。
【００７４】
【発明の効果】
以上述べたように、本発明の半導体装置によれば、半導体チップから発生した熱を水平伝熱部および垂直伝熱部を介して最上層および／または最下層の放熱部へ伝達して放熱するようにしているので、特に内層部に位置する半導体チップの放熱効果を高めて適正な動作特性を確保することができ、信頼性の向上を図ることができる。
【００７５】
請求項２の発明によれば、最上層のキャリア基板に設けられる放熱部が当該最上層のキャリア基板に設けられた放熱板で構成されているので、内層部に位置する半導体チップから発生する熱を外部へ効率的に放出することができる。
【００７６】
請求項３の発明によれば、最下層のキャリア基板に設けられる放熱部がマザー基板上の放熱用ランド部に接続される伝熱端子から構成されているので、内層部に位置する半導体チップから発生する熱をマザー基板へ放出することができる。
【００７７】
請求項４の発明によれば、既存の半導体パッケージの製造プロセスを用いて本発明の半導体装置を得ることができるので、発明の実施が容易である。
【００７８】
請求項５の発明によれば、垂直伝熱部がキャリア基板の周囲に沿って配置される層間配線部の内方位置において複数形成されているので、半導体装置全体の大型化を抑制することができる。
【００７９】
請求項６、請求項７の発明によれば、水平伝熱部が板状またはシート状の金属材料、あるいは熱伝導性の接着材料層で構成されているので、半導体チップから発生する熱を効率良く逃がすことができる。
【００８０】
請求項８の発明によれば、水平伝熱部に垂直伝熱部との相対位置規制を行うための位置決め部が設けられているので、積層される半導体パッケージの位置ズレを防止することができる。
【００８１】
請求項９の発明によれば、半導体パッケージの薄型化を図ることができる。
【図面の簡単な説明】
【図１】本発明の第１の実施の形態による半導体装置の構成を示す側断面図である。
【図２】Ａは図１に示す半導体装置の平面図、Ｂはその裏面図である。
【図３】図１の半導体装置におけるキャリア基板の構成を示す図であり、Ａは回路形成面側、Ｂは放熱板が設けられた非回路形成面側をそれぞれ示している。
【図４】Ａ〜Ｉそれぞれ図１に示す半導体装置の製造プロセスを示す図である。
【図５】図１に示す半導体装置におけるキャリア基板の要部の構成の変形例を示す断面図である。
【図６】本発明の第２の実施の形態による半導体装置を示し、Ａは側断面図、Ｂは［６Ｂ］−［６Ｂ］線方向断面図である。
【図７】本発明の第３の実施の形態による半導体装置の構成を示す側断面図である。
【図８】本発明の第１の実施の形態の変形例を示す側断面図である。
【図９】本発明の半導体装置の構成の変形例を示す側断面図である。
【図１０】従来の積層型の半導体装置の構成を示す側断面図である。
【図１１】Ａ〜Ｈともに図１０に示す半導体装置の製造プロセスを示す図である。
【図１２】従来の他の半導体装置の構成を示す側断面図である。
【図１３】従来の更に他の半導体装置の構成を示す側断面図である。
【図１４】従来の更に他の半導体装置の構成を示す側断面図である。
【図１５】従来の更に他の半導体装置の構成を示す側断面図である。
【符号の説明】
１，２１，３１，５１…半導体装置、２，３２，５２…半導体チップ。３，３３，５３…キャリア基板、４Ａ〜４Ｄ，３４，５４…半導体パッケージ、６，３６…導電端子（層間配線部）、６Ａ，３６Ａ，５８…外部電極、８，３８…開口部、１０，４０，６０…放熱板（水平伝熱部）、１０Ｄ，４０Ｄ…放熱板（放熱部）、１３ａ，４３，５６…スルーホール（層間配線部）、１４ａ，４４，５７…伝熱貫通体としてのスルーホール（垂直伝熱部）、１５，４５…マザー基板、１８，４８…位置決め孔（位置決め部）、１９，４９…伝熱端子（垂直伝熱部）、１９Ａ，５９…伝熱端子（放熱部）、２０…接着材料層、２２…枠部材（垂直伝熱部）、２５…凹所（位置決め部）。
【図１】
0003944898.tif 000002
【図２】
0003944898.tif 000003
【図３】
0003944898.tif 000004
【図４】
0003944898.tif 000005
【図５】
0003944898.tif 000006
【図６】
0003944898.tif 000007
【図７】
0003944898.tif 000008
【図８】
0003944898.tif 000009
【図９】
0003944898.tif 000010
【図１０】
0003944898.tif 000011
【図１１】
0003944898.tif 000012
【図１２】
0003944898.tif 000013
【図１３】
0003944898.tif 000014
【図１４】
0003944898.tif 000015
【図１５】
0003944898.tif 000016